【手続補正書】
【提出日】平成26年8月26日(2014.8.26)
【手続補正１】
【補正対象書類名】特許請求の範囲
【補正対象項目名】全文
【補正方法】変更
【補正の内容】
【特許請求の範囲】
【請求項１】
割り当てられたＧＮＳＳ周波数帯内の信号強度データを決定するための装置であって、該装置は、
該割り当てられたＧＮＳＳ周波数帯内で受信された信号を受信するためのＧＮＳＳアンテナと、
該受信された信号を復調された信号に復調するための受信回路網と、
プロセッサと、
該プロセッサにより実行可能な命令を記憶するためのメモリであって、該命令は、
該割り当てられたＧＮＳＳ周波数帯内の該受信された信号に対する信号強度データを生成するための命令と、
該復調された信号に基づいて関心のある地点に対する位置を決定するための命令と
を含む、メモリと、
該割り当てられたＧＮＳＳ周波数帯の少なくとも一部分内の干渉を識別するために、該割り当てられたＧＮＳＳ周波数帯の少なくとも該一部分に対する該信号強度データのグラフィカル表現を表示するためのディスプレイスクリーンと
を含み、
該グラフィカル表現は、該割り当てられたＧＮＳＳ周波数帯の該表示された一部分内の干渉を識別する少なくとも１つのインジケータを含む、装置。
【請求項２】
前記受信された信号に対する信号強度データを生成することは、前記復調された信号に基づく、請求項１に記載の装置。
【請求項３】
前記受信された信号に対する信号強度データを生成するための命令は、該信号強度データの振幅成分を決定するために、前記受信された信号のＩ２（同位相）成分およびＱ２（直角位相）成分の和の平方根を計算するための命令を含む、請求項１に記載の装置。
【請求項４】
前記命令は、前記識別された干渉の大きさのインジケーションを決定するための命令をさらに含む、請求項１に記載の装置。
【請求項５】
前記受信回路網は、自動ゲイン制御（ＡＧＣ）を含み、前記大きさのインジケーションを決定するための命令は、該ＡＧＣの増幅大きさを公称増幅大きさと比較するための命令を含む、請求項４に記載の装置。
【請求項６】
前記大きさのインジケーションを決定するための命令は、
前記受信された信号の信号品質測定値を決定するための命令と、
前記装置の位置の仰角における公称信号品質測定値を決定するための命令と、
該受信された信号の信号品質測定値を該公称信号品質測定値と比較するための命令と
を含む、請求項４に記載の装置。
【請求項７】
前記信号品質測定値は、信号対雑音比率（Ｓ／Ｎ）である、請求項６に記載の装置。
【請求項８】
筐体をさらに含み、前記ＧＮＳＳアンテナおよび前記ディスプレイスクリーンは該筐体に組み込まれ、前記受信回路網、前記プロセッサ、および前記メモリは該筐体の中にある、請求項１に記載の装置。
【請求項９】
地平線に関する前記筐体の位置に基づいて該筐体の配向データを生成するための、該筐体内にある配向回路網と、
前記ディスプレイスクリーン上における表示のための前記関心のある地点に関する画像データを得るための、該筐体内にある画像化回路網と、
少なくとも前記受信された信号、該配向データ、および該画像データに基づいて該関心のある地点に対する位置を決定するための、前記受信回路網、該画像化回路網、および該配向回路網に結合された位置決定回路網と
をさらに含む、請求項８に記載の装置。
【請求項１０】
ベースステーションから位置データに関する位置決定補助データを受信するための、前記筐体に組み込まれた少なくとも１つの通信アンテナをさらに含み、前記ＧＮＳＳアンテナは、第一のパターンを有し、該少なくとも１つの通信アンテナは、第二のパターンを有し、該ＧＮＳＳアンテナおよび該少なくとも１つの通信アンテナは、該第一のパターンおよび該第二のパターンが実質的に分離されるように構成され、
前記位置決定回路網は、前記位置データ、前記配向データ、前記画像データ、および前記位置決定補助データに少なくとも基づいて前記関心のある地点に対する位置を決定する、請求項９に記載の装置。
【請求項１１】
前記少なくとも１つの通信アンテナは、ＧＳＭアンテナと、ＵＨＦアンテナと、ＷｉＦｉ／Ｂｌｕｅｔｏｏｔｈアンテナとから成るグループから選択されたアンテナである、請求項１０に記載の装置。
【請求項１２】
前記少なくとも１つの通信アンテナは、３つの通信アンテナを含む、請求項１０に記載の装置。
【請求項１３】
前記位置決定補助データは、前記関心のある地点の位置を決定することにおいて、前記位置データの誤差を補償するための補正データを含む、請求項１０に記載の装置。
【請求項１４】
前記画像データは、少なくとも１つの画像を含み、該少なくとも１つの画像は、前記装置から見られた前記関心のある地点のビューを表す、請求項９に記載の装置。
【請求項１５】
前記配向データは、地平線と平行な平面に対する前記装置の配向を表す、請求項９に記載の装置。
【請求項１６】
割り当てられたＧＮＳＳ周波数帯内の周波数において受信された信号に対する信号強度データを決定するためのコンピュータ実装された方法であって、該コンピュータ実装された方法は、
該割り当てられたＧＮＳＳ周波数帯内の該受信された信号に対する信号強度データをプロセッサにより生成することと、
復調された信号に基づいて関心のある地点に対する位置を該プロセッサにより決定することであって、該復調された信号は、該受信された信号に基づく、ことと、
該割り当てられたＧＮＳＳ周波数帯内の干渉を該プロセッサにより識別することと、
少なくとも１つのインジケータを含む該割り当てられたＧＮＳＳ周波数帯の少なくとも一部分に対する該信号強度データのグラフィカル表現をディスプレイスクリーン上に表示することと
を含み、
該少なくとも１つのインジケータは、該割り当てられたＧＮＳＳ周波数帯の該表示された一部分内の干渉を識別する、コンピュータ実装された方法。
【請求項１７】
信号強度データを生成することは、前記復調された信号に基づく、請求項１６に記載のコンピュータ実装された方法。
【請求項１８】
信号強度データを生成することは、前記信号強度データの振幅成分を決定するために、前記受信された信号のＩ２（同位相）成分およびＱ２（直角位相）成分の和の平方根を計算することを含む、請求項１６に記載のコンピュータ実装された方法。
【請求項１９】
前記識別された干渉の大きさのインジケーションをプロセッサにより決定することをさらに含む、請求項１６に記載のコンピュータ実装された方法。
【請求項２０】
コンピュータは、受信回路網を含み、該受信回路網は、自動ゲイン制御（ＡＧＣ）を含み、前記大きさのインジケーションを決定することは、該ＡＧＣの増幅大きさを公称増幅大きさと比較することを含む、請求項１９に記載のコンピュータ実装された方法。
【請求項２１】
前記大きさのインジケーションを決定することは、
前記受信された信号の信号品質測定値を決定することと、
装置の位置の仰角における公称品質測定値を決定することと、
該受信された信号の信号品質測定値を該公称信号品質測定値と比較することと
を含む、請求項１９に記載のコンピュータ実装された方法。
【請求項２２】
前記信号品質測定値は、信号対雑音比率（Ｓ／Ｎ）である、請求項２１に記載のコンピュータ実装された方法。
【請求項２３】
命令が記録されたコンピュータ読み取り可能記憶媒体であって、該命令は、コンピュータによって実行される場合に、該コンピュータに、割り当てられたＧＮＳＳ周波数帯内の周波数において受信された信号に対する信号強度データを決定する方法を実行させ、該方法は、
該割り当てられたＧＮＳＳ周波数帯内の該受信された信号に対する信号強度データをプロセッサにより生成するステップと、
復調された信号に基づいて、関心のある地点に対する位置を該プロセッサにより決定するステップであって、該復調された信号は、該受信された信号に基づく、ステップと、
該割り当てられたＧＮＳＳ周波数帯内の干渉を該プロセッサにより識別するステップと、
少なくとも１つのインジケータを含む該割り当てられたＧＮＳＳ周波数帯の少なくとも一部分に対する該信号強度データのグラフィカル表現をディスプレイスクリーン上に表示するステップと
を含み、
該少なくとも１つのインジケータは、該割り当てられたＧＮＳＳ周波数帯の該表示された一部分内の干渉を識別する、コンピュータ読み取り可能記憶媒体。
【請求項２４】
信号強度データを生成することは、前記復調された信号に基づく、請求項２３に記載のコンピュータ読み取り可能記憶媒体。
【請求項２５】
前記信号強度データを生成するステップは、前記信号強度データの振幅成分を決定するために、前記受信された信号のＩ２（同位相）成分およびＱ２（直角位相）成分の和の平方根を計算することを含む、請求項２３に記載のコンピュータ読み取り可能記憶媒体。
【請求項２６】
前記方法は、前記識別された干渉の大きさのインジケーションを決定するステップをさらに含む、請求項２３に記載のコンピュータ読み取り可能記憶媒体。
【請求項２７】
前記コンピュータは受信回路網を含み、該受信回路網は、自動ゲイン制御（ＡＧＣ）を含み、前記大きさのインジケーションを決定するステップは、該ＡＧＣの増幅大きさを公称増幅大きさと比較することを含む、請求項２６に記載のコンピュータ読み取り可能記憶媒体。
【請求項２８】
前記大きさのインジケーションを決定するステップは、
前記受信された信号の信号品質測定値を決定することと、
装置の位置の仰角における公称信号品質測定値を決定することと、
該受信された信号の信号品質測定値を該公称信号品質測定値と比較することと
をさらに含む、請求項２６に記載のコンピュータ読み取り可能記憶媒体。
【請求項２９】
前記信号品質測定値は、信号対雑音比率（Ｓ／Ｎ）である、請求項２８に記載のコンピュータ読み取り可能記憶媒体。